(57)【要約】  グリーティングカード簡易作成方法【課題】  ワープロなどのソフトを必要とせずに、簡易にグリーティングカード、葉書などの印刷データを作成する手段を提供すること。【解決手段】  パソコンなどの通信機器を使用して、ウェブ画面上から、好みのテンプレートを選択し、テキスト文の入力や、オリジナル画像を指定することにより、グリーティングカード、葉書などの印刷データを作成することができる手段を提供する。【選択図】      図２
2005025710.tif 000002
【特許請求の範囲】
【請求項１】
インターネットに接続され、ウェブを表示する機能を有する通信機器、を持つユーザが、簡易にグリーティングカードを作成する方法において、
ウェブ上に表示されるグリーティングカードのテンプレートに対して、ウェブ画面上より自由に入力した文字を、グリーティングカード内に表示させた画面、を表示する、オリジナル文字入りカード表示工程と、
前記オリジナル文字入りカード表示工程で表示されたカードを、画面上のボタンクリックによりユーザサイド側で印刷可能とするローカル印刷工程
を備えたことを特徴とするグリーティングカード作成方法。
【請求項２】
請求項１に記載のグリーティングカード作成方法において、
ｗｅｂ画面上より、ユーザが指定した画像ファイルを、更にグリーティングカード内に表示させるオリジナル文字及び画像入りカード表示工程
を更に備えたことを特徴とするグリーティングカード作成方法。
【請求項３】
請求項１又は２に記載のグリーティングカード作成方法において、
入力する文字のフォント、及び大きさを指定することができるように設けられたフォーム入力画面より、指定されたフォント、及び大きさのオリジナル文字を表示させる工程
を更に備えたことを特徴とするグリーティングカード作成方法。
【請求項４】
請求項１から３に記載のグリーティングカード作成方法において、
ｗｅｂ画面上より入力された文字情報、及び、ユーザが指定した画像ファイルを受信し、そのファイルを解析する、受信解析工程と、
前記受信解析工程で受信した情報を、グリーティングカードのテンプレートに取り込んだものを、標準電子文書フォーマットで作成する標準印刷用グリーティングカード作成工程、
を更に備えたことを特徴とするグリーティングカード作成方法。
【発明の詳細な説明】
【発明の詳細な説明】
【技術分野】
【０００１】  本発明は、グリーティングカードの簡易作成方法に関し、より詳しくは、インターネットを介した印刷用グリーティングカード作成システムに関する。
【背景技術】
【０００２】  最近、インターネットの普及により、メールを使ったグリーティングカードが利用されるようになってきたが、送り主と相手方のどちらかがインターネットを利用しない場合はもちろん、双方が利用する場合でもより心のこもった挨拶を所望する場合などにおいて、印刷物としてのグリーティングカードは今もなお必要とされている。この印刷物としてのグリーティングカード、例えば年賀状などについて、それを作成するためには、簡単に作成できるソフトウェア、及びそのソフトウェアで使用するテンプレートやイラスト集が多々販売され、利用されている。
【発明が解決しようとする課題】
【０００３】  印刷物としてのグリーティングカードを、一般ユーザが自分自身で作成する手段としては、市販のＰＣソフトウェアを利用する方法があるが、その利用にはある程度の知識を要し、パソコンを使いこなせない利用者には敷居が高いものである。
【０００４】  本発明の目的は、インターネットのウェブ画面上より、簡易に印刷用グリーティングカードを作成するシステムを提供することにある。
【課題を解決するための手段】
【０００５】  本発明では、インターネットに接続され、ウェブを表示する機能を有する通信機器、を持つユーザが、簡易にグリーティングカードを作成する方法において、
ウェブ上に表示されるグリーティングカードのテンプレートに対して、ウェブ画面上より自由に入力した文字を、グリーティングカード内に表示させた画面、を表示する、オリジナル文字入りカード表示工程と、
前記オリジナル文字入りカード表示工程で表示されたカードを、画面上のボタンをクリックすることによりユーザサイド側で印刷可能とするローカル印刷工程を備えたことを特徴とするグリーティングカード作成方法が提供される。
【０００６】  本発明にかかるグリーティングカード作成方法によれば、ユーザは好みのテンプレートに対して、ｗｅｂフォーム画面上で文字を入力するだけで、オリジナルなグリーティングカードを作成し、更に作成したグリーティングカードを、ユーザサイド側で印刷して使用することができる。
【０００７】  また、本発明のグリーティングカード作成方法により使用するテンプレートは、１つだけでなく、複数のテンプレートより、ユーザに選択させてもよい。
【０００８】  本発明のグリーティングカード作成方法において、ユーザが所有する画像を指定して、それをグリーティングカード内に表示させる工程を更に備えていても良い。これにより、ユーザは独自の画像を表示したグリーティングカードを作成でき、これを印刷して使用することができる。
【０００９】  本発明のグリーティングカード作成方法において、ユーザが入力する文字のフォントや大きさを指定させる工程を更に備えていてもよい。これにより、ユーザは、好みのフォントや大きさの文字をグリーティングカードに表示でき、これを印刷して使用することができる。
【００１０】  また、本発明のグリーティングカード作成方法において、ユーザの指定したデータをサーバに送信し、サーバ側で標準印刷ファイルを作成する工程を更に備えていても良い。これにより、ユーザは指定した通りのイメージで、印刷が可能であり、又作成されたグリーティングカードを電子文書として保管することが可能となる。
【００１１】  また、本発明にかかるプログラムでは、上記の本発明にかかるグリーティングカード作成方法をコンピュータに実行させるためのプログラムが提供される。
【発明を実施するための最良の形態】
【００１２】  以下、添付図面を参照して本発明の好適な実施の形態について説明する。なお、説明の理解を容易にするため、各図面において同一の構成要素に対しては可能な限り同一の参照番号を附し、重複する説明は省略する。【００１３】  図１は、本発明の実施形態において使用されるハードウェアの構成を示す図である。ｗｅｂ表示機能を有する通信機器１０と、ウェブサーバ３０は、インターネット、ＬＡＮ等の通信ネットワーク２０を介して相互に通信可能である。本発明のプログラムはｗｅｂサーバ３０より受信するウェブページ４０内、又はウェブページ４０からリンクされる別のファイル内に存在し、通信機器１０内で処理される。【００１４】  又、図２はカード作成処理をサーバ内で処理する場合のハードウェア構成を示す図である。ここで、本発明のプログラムはウェブサーバ３０内に存在する。【００１５】  作成されたグリーティングカードは、印刷機器５０を使い印刷が可能である。【００１６】  次に、本発明にかかるグリーティングカード作成について、図１、及び図２に基づいて説明する。【００１７】  図１において、ウェブサーバ３０より受信した、ウェブページ４０に対して、ユーザがグリーティングカードのテンプレートを選択し、文字を入力すると、ウェブページ４０内のプログラムが、通信機器１０内で実行され、指定されたグリーティングカードテンプレート内に、指定された文字を加えたグリーティングカードが表示される。【００１８】  更に、図１において、ユーザはユーザ所有の画像を指定することも可能である。ウェブページ４０内のプログラムが、指定された文字の他、指定された画像を加えたグリーティングカードを表示させる。【００１９】  表示されたグリーティングカードは、そのままブラウザの印刷機能で印刷させることが可能であるが、印刷ボタンを提供して、ユーザがボタンをクリックするだけで印刷できるような機能を提供してもよい。【００２０】  図２においては、ウェブサーバ３０より受信した、ウェブページ４０に対して、文字、あるいは画像を指定すると、指定された文字、あるいは画像データがウェブサーバ３０に送信される。ウェブサーバ３０においては、受信したファイルなどの内容を解析した上で、グリーティングカードを標準電子文書フォーマットにて作成する。作成したグリーティングカードは、通信機器１０に送信される。【００２１】  作成されたグリーティングカードは、標準電子文書フォーマットなので、印刷はもちろん可能であるが、その他、電子ファイルとして保管、電子メールによる送信、更にはインターネット上に掲載が可能である。
【発明の効果】
【００２２】  本発明によれば、インターネットに接続された通信機器を持つユーザは、ワープロなどの操作を必要とせず、ウェブページより必要な文字の入力、或いは画像の指定という簡単な操作により、印刷用グリーティングカードを作成することができる。
【図面の簡単な説明】
【図１】  本発明の一実施形態において使用されるハードウエア構成を示す図である。
【図２】  本発明の別の実施形態において使用されるハードウェア構成を示す図である。
【符号の説明】
１０  ウェブ表示機能を有する通信機器
２０  通信ネットワーク
３０  ウェブサーバ
４０  カード作成必要情報を指定するウェブページ
５０  印刷機器
【図１】
2005025710.tif 000003
【図２】
2005025710.tif 000004